(57)【要約】   【課題】  一年の使用期間を全うしてしまうと廃棄処分となっていた従前までの暦に代え、年数分を揃えて多年使用ができるだけでなく、新たな付加価値も合わせもった新規な新規な構造の多年暦を提供する。                                                    【解決手段】  単年分１２ヶ月の月毎の暦を、輪郭およびその大きさ、レイアウトおよびそのレイアウト内容、配色など暦形成要素の少なくとも一つを統一した単年表示暦シートが多年分、各年毎に応じた暦表示による単年表示暦シートとして用意されて降年順に重ねて揃えられ、後ろ側に順送り可能に一体化した多年暦である。【選択図】    図４
2006056081.tif 000002
【特許請求の範囲】
【請求項１】
単年分１２ヶ月の月毎の暦を、輪郭およびその大きさ、レイアウトおよびそのレイアウト内容、配色など暦形成要素の少なくとも一つを統一したものとした上、所定サイズの一枚台紙の片面に割り振って印刷表示するようにした単年表示暦シートが、基準年から連続する少なくとも十年後に渡る期間年分、各年毎に応じた暦表示による単年表示暦シートとして用意され、それらを降年順に重ね、揃えた上端縁を綴じ金具で一枚ずつ手前から後ろ側に順送り可能に一体化してなるものとしたことを特徴とする多年暦。
【請求項２】
単年分１２ヶ月の月毎の暦を、輪郭およびその大きさ、レイアウトおよびそのレイアウト内容、配色など暦形成要素の少なくとも一つを統一したものとした上、所定サイズの一枚台紙の片面に割り振って印刷表示するようにした単年表示暦シートが、基準年から連続する少なくとも十年後に渡る期間分、各年毎に応じた暦表示による単年表示暦シートとして用意され、それらを降年順に重ね、揃えた上端縁を綴じ金具で一枚ずつ手前から後ろ側に順送り可能に一体化し、最初に連綴した単年表示暦シートの枚数分に渡る年数分だけ継続使用可能にしてなるものとしたことを特徴とする多年暦。
【請求項３】
単年分１２ヶ月の月毎の暦を、輪郭およびその大きさ、レイアウトおよびそのレイアウト内容、配色など暦形成要素の少なくとも一つを統一したものとした上、所定サイズの中性紙からなる一枚台紙の片面に割り振って印刷表示するようにした単年表示暦シートが、基準年から連続する少なくとも十年後に渡る期間分、各年毎に応じた暦表示による単年表示暦シートとして用意され、それらを降年順に重ね、揃えた上端縁を綴じ金具で一枚ずつ手前から後ろ側に順送り可能に一体化してなるものとしたことを特徴とする多年暦。
【請求項４】
単年分１２ヶ月の月毎の暦を、輪郭およびその大きさ、レイアウトおよびそのレイアウト内容、配色など暦形成要素の少なくとも一つを統一したものとした上、所定サイズの一枚台紙の片面に割り振って印刷表示するようにした単年表示暦シートが、基準年から連続する少なくとも十年後に渡る期間分、各年毎に応じた暦表示による単年表示暦シートとして用意され、それらを夫々表面耐候性薄紙と対をなすものとして降年順に重ね、揃えた上端縁を綴じ金具で一枚ずつ手前から後ろ側に順送り可能に一体化してなるものとしたことを特徴とする多年暦。
【請求項５】
単年分１２ヶ月の月毎の暦を、輪郭およびその大きさ、レイアウトおよびそのレイアウト内容、配色など暦形成要素の少なくとも一つを統一したものとした上、所定サイズの一枚台紙の片面に割り振って印刷表示するようにした単年表示暦シートが、基準年から連続する少なくとも十年後に渡る期間分、各年毎に応じた暦表示による単年表示暦シートとして用意され、それらを夫々表面耐候性透明膜処理したものとして降年順に重ね、揃えた上端縁を綴じ金具で一枚ずつ手前から後ろ側に順送り可能に一体化してなるものとしたことを特徴とする多年暦。
【請求項６】
単年表示暦シートは、一ヶ月表示箇所ずつ、あるいは連続する数カ月まとめた複数月表示箇所ずつが独立して切り離し可能とするような破線状切り目が施され、用意された単年表示暦シート枚数の年数が満了した段階には、当該破線状切り目で全てを切り離し、予め用意された綴じ代で一体化して小冊子に変貌させ得るようにした、請求項１ないし５何れか一に記載の多年暦。
【請求項７】
単年表示暦シートは、一ヶ月表示箇所ずつ、あるいは連続する数カ月まとめた複数月表示箇所ずつが独立して切り離し可能とするような破線状切り目が施され、用意された単年表示暦シート枚数の年数が満了した段階には、当該破線状切り目で全てを切り離し、予め用意された綴じ代に、使用済みの綴じ金具の一部で一体化して小冊子に変貌させ得るようにした、請求項１ないし５何れか一に記載の多年暦。
【請求項８】
単年表示暦シートは、その一ヶ月毎の表示箇所適所に、何れも属する年分を西暦年表示箇所と平成年表示箇所および昭和通年表示箇所とが形成されてなるものとした、請求項１ないし７何れか一に記載の多年暦。
【請求項９】
単年表示暦シートは、その上層として個別の飾り表紙を有したものとして順次組み合わされるものとし、夫々の飾り表紙には該当年の新年を迎えるに相応しい表示部が形成されてなるものとした、請求項１ないし８何れか一に記載の多年暦。
【発明の詳細な説明】
【技術分野】
【０００１】
この発明は、家庭または営業その他に用いられる暦に関連するあらゆる分野をその技術分野とするものであって、暦を印刷、出版する技術分野をはじめ、その暦に必要な資材や部品を提供する分野、それら資材、部品の加工に必要な機械、工具類を提供する分野、またそれら資材や機械装置、部品類に必要な素材、例えば木材、合板、プラスチック、各種金属材料を提供する分野、それらに組み込まれる電子分品やそれらを集積した制御機器の分野、各種計測器の分野、加工機械を動かす動力機械の分野、そのエネルギーとなる電力やエネルギー源である電気、オイルの分野といった一般的に産業機械として総称される分野に包含される分野、更には、それら暦を試験、展示、販売、輸出入、ならびに使用する分野、将又、それら暦の製造、販売に伴って発生する不要物や廃棄物を回収、運搬する回収、輸送の分野、その不要物や廃棄物を効率的に再生利用するリサイクル分野、あるいは現時点で想定できない新たな分野までと、関係しない技術分野はない程である。                                    
【背景技術】
【０００２】
（着眼点）
それまでの太陰太陽暦（旧暦）に代わり、明治６年（１８７３年）１月１日から我が国が世界共通の太陽暦（グレゴリオ暦）の採用を決めてから既に１３０年以上もの年月を重ね、今では日常の生活をしていく上で、この太陽暦を目視可能な状態に表示した、所謂一般に暦（またはカレンダー）と称している印刷物の必要性は何ものにも代え難く、表現手段や形式の違いはあれ、あらゆる家庭、職場で一つと言わず必ず複数の暦を周辺目立つところに飾り、日々その暦を頼りにスケジュールをこなし、週、月を重ねて一年間を無事に送っているのが常である。
【０００３】
暦の故事来歴、即ち太陽暦に切り替える前の遥か彼方、飛鳥時代に中国から我が国に伝来し、中国で改良されるとその都度新たな暦として受け入れ、採用してきた長い歴史をもつ暦（旧暦）は、元々は「日読み」（二日、三日の日を「か」と発音したのと同じで読みは「かよみ」）が転じて「こよみ」となったとされる説にも符合するように、我々の生活の節目は、日々を重ねていった末に全うする一年間を単位に暮らしており、大晦日を迎える頃には、どの家庭や職場でも新たな一年を迎えるために様々な準備を整える生活習慣の一つとして、この一年すっかりお世話になった旧い暦を真新しい暦に代え、正月を迎えた途端、その新しい暦の表紙を捲って新年正月の暦を表示し、身も心も新たな一年に備えるというのがこれまでの共通した暦に対する認識であったといえる。
【０００４】
多くの人々にとって、これまでのこうした認識に差程の変化が起きているとは思えないものの、衣食住の環境も整って生活にゆとりが生まれ、加えて目覚ましい科学技術の進展が医療現場にも及んで世界一の長寿を全うでき、十分とはいかないまでも国民一人一人に年金が支給される時代を迎えた昨今、自分の歩んだ過去を振り返ってその流れを懐かしみ、頑張り抜いてきた自分自身に誇りをもち、その延長となる数年先に思いを馳せては生きる喜びに期待を膨らませる余裕から、５年、１０年といった長いスパンを見据えた計画の上に立っての優雅な生活を送る人々が急増してきているのも事実であり、年末恒例の暦の展示、販売コーナーには、それまであまり目にすることがなかった５年日記、１０年日記が並べられ、目立ち始めた現象にもその傾向を伺い知ることができよう。
【０００５】
（従来の技術）
こうした傾向を反映して需要が出ている日記帳に対し、所謂暦の場合には、これまでのところ全く変化の兆しは見られず、装丁に贅を尽くして豪華なもの、デザイン的に秀れたもの、書き込みや表示にかってない工夫を凝らしたもの、果ては世界各地で使用される珍しいものなど、その種類たるや驚く程豊富になって、それまで暦といえば、関係する企業から届くものと思われていて自らで購入する人は稀であったものが、最近では個々人の好みにあったものを求め、その時期になると暦展示、販売コーナーが大賑わいになってしまう程の活況を呈することになるものの、それら有り余る程に豊富に用意された暦は、何れも一年単位のものばかりで、それが日めくりか、月単位、即ち一月単位で一枚とし、都合１２枚で一年分の暦とするか、二月単位や三月単位で一枚として必要枚数揃えたもの、あるいは十二ヶ月まとめて一枚の中に表示するか、といった違いだけであって、一年単位の枠を飛び越え、数年分をまとめて表示するようにしたものは何故か皆無である。
【０００６】
意味合いは違うものの、何年にも渡って一つの暦で繰り替えし使用できるようにした暦、例えば特開２００４−１７６５０「記録利用性の高い無端状カレンダー」発明や実用新案登録第３０７１１７２号「万年カレンダー」発明などに代表される所謂万年暦と称されているものは、確かに古くから提案がない訳ではなく、前者のように印刷した所定巾の帯状シートの両端を繋ぎ、必要な箇所を除いて適宜格納しておき、月が変わる度に順送りするようにして表示するようにし、必要な箇所が印刷した分だけ表示できるようにしたもの、あるいは後者の事例のように、一ヶ月の日にち分を一週間単位に７日づつ重ねて表示したものは、年月が変わっても縦に並んだ日にちの曜日は常に変わらないことを利用して、その年月の１日から７日までの曜日の配列が自由に決定できるようにしおきさえすれば、それこそ１０年でも１００年でも使い続けるようにしたものなどがあるものの、実際には巷に殆ど定着もせず、精々アイデアグッズとしてその場限りで消えていってしまっているのが実情である。
【０００７】
しかし、これら所謂万年暦は、一つのもので何年にも渡って使用可能ではあるものの、どれもが必要な月を必要なときに何時でも表示させることはできても、一年間をまとめて眺めて年間スケジュールを立てながら、それが前後複数年における該当月あるいはその前後の月を参考にした計画とすることができたり、年を跨いで数年に渡る計画までをも可能にするというものではなく、特に後者のものでは、該当月の表示、確認だけの機能しかなくてメモ書きその他書き入れをしてしまうと、それらが翌月には何の役にもたたないどころか邪魔な表示部分となってしまうという問題があってメモ等はしてはならない上に、月が変われば前月の表示は消滅してしまうという宿命のものでしかなかったため、前述した日記帳がそうであったように、時代の要請から、一年単位の枠を飛び越えた長いスパンに掛けての計画や実績の確認がこの暦においても可能になれば、暦が家庭や職場で毎日必ず一度は目にするものだけに、また日記帳とは違った効果が期待できることになるのではないのかとの予測が立つ。                                                                          
【特許文献１】（1）特開２００４−１７６５０公報  （2）実用新案登録第３０７１１７２号公報
【発明の開示】
【発明が解決しようとする課題】
【０００８】
（問題意識）
この発明は、以上のような着眼点に基づき、これまで綿々と続いてきた一年単位で当該一年の使用期間を無事に全うしてしまうと廃棄処分となっていた従前までの暦に代え、何とかその枠を取り払って少なくとも１０年程度の期間を用意した暦を用意し、その長期間に渡る間も何等飽きることなく、特に一年を終えて新年を迎えるときには新たな感慨を与えてくれると共に、過ぎ去ってしまった年の暦もメモ等を記録したままで予め予定した使用期間の間は一体のものとして残って必要な時に顧みることを可能にする暦であって、単に年数分を揃えただけに止まることなく、新たな付加価値も合わせもった暦を完成することができれば、各家庭や職場毎に必ず一つ以上、平均して三つは保有していて年毎に五千万部以上もの暦が繰り返し廃棄され続けているという資源の無駄使いを完全に抑止できることになるだけではなく、最近の人々が必要とするようになってきている長期間に渡る時間管理の必要性に適った有用な暦の提供になる筈のところ、これまでのところ暦に関してこれらの問題は等閑のまで経過していた。
【０００９】
（発明の目的）
上記実情に鑑み、本願出願人は、こうした問題一切を一挙に解決できるようにした新規な暦を実現させることはできないものかとの判断から、逸速くその開発、研究に着手し、長期に渡る試行錯誤と幾多の試作、実験とを繰り返してきた結果、今回遂に、これまでに全く存在することのなかった新規な構造の多年暦を実現化することに成功したものであり、以下では、図面に示すこの発明を代表する実施例と共に、その構成を詳述することとする。                                                                                                            
【課題を解決するための手段】
【００１０】
（発明の構成）
この発明の多年暦は、後述する実施例として取り上げた図面に示すものからも容易に把握できるように、基本的に次のとおりの構成からなるものである。
即ち、単年分１２ヶ月の月毎の暦を、輪郭およびその大きさ、レイアウトおよびそのレイアウト内容、配色など暦形成要素の少なくとも一つを統一したものとした上、所定サイズの一枚台紙の片面に割り振って印刷表示するようにした単年表示暦シートが、基準年から連続する少なくとも十年後に渡る期間年分、各年毎に応じた暦表示による単年表示暦シートとして用意され、それらを降年順に重ね、揃えた上端縁を綴じ金具で一枚ずつ手前から後ろ側に順送り可能に一体化してなるものとした構成を要旨とする多年暦である。
【００１１】
これを換言すると、単年分１２ヶ月の月毎の暦を、輪郭およびその大きさ、レイアウトおよびそのレイアウト内容、配色など暦形成要素の少なくとも一つを統一したものとした上、所定サイズの一枚台紙の片面に割り振って印刷表示するようにした単年表示暦シートが、基準年から連続する少なくとも十年後に渡る期間分、各年毎に応じた暦表示による単年表示暦シートとして用意され、それらを降年順に重ね、揃えた上端縁を綴じ金具で一枚ずつ手前から後ろ側に順送り可能に一体化し、最初に連綴した単年表示暦シートの枚数分に渡る年数分だけ継続使用可能にしてなる構成の多年暦ということができる。
【００１２】
そして、この基本的な構成によるこの発明の多年暦には、単年分１２ヶ月の月毎の暦を、輪郭およびその大きさ、レイアウトおよびそのレイアウト内容、配色など暦形成要素の少なくとも一つを統一したものとした上、所定サイズの中性紙からなる一枚台紙の片面に割り振って印刷表示するようにした単年表示暦シートが、基準年から連続する少なくとも十年後に渡る期間分、各年毎に応じた暦表示による単年表示暦シートとして用意され、それらを降年順に重ね、揃えた上端縁を綴じ金具で一枚ずつ手前から後ろ側に順送り可能に一体化してなる多年暦が包含されている。
【００１３】
同様に、単年分１２ヶ月の月毎の暦を、輪郭およびその大きさ、レイアウトおよびそのレイアウト内容、配色など暦形成要素の少なくとも一つを統一したものとした上、所定サイズの一枚台紙の片面に割り振って印刷表示するようにした単年表示暦シートが、基準年から連続する少なくとも十年後に渡る期間分、各年毎に応じた暦表示による単年表示暦シートとして用意され、それらを夫々表面耐候性薄紙と対をなすものとして降年順に重ね、揃えた上端縁を綴じ金具で一枚ずつ手前から後ろ側に順送り可能に一体化してなるものとした多年暦もまた包含される。
【００１４】
更には、単年分１２ヶ月の月毎の暦を、輪郭およびその大きさ、レイアウトおよびそのレイアウト内容、配色など暦形成要素の少なくとも一つを統一したものとした上、所定サイズの一枚台紙の片面に割り振って印刷表示するようにした単年表示暦シートが、基準年から連続する少なくとも十年後に渡る期間分、各年毎に応じた暦表示による単年表示暦シートとして用意され、それらを夫々表面耐候性透明膜処理したものとして降年順に重ね、揃えた上端縁を綴じ金具で一枚ずつ手前から後ろ側に順送り可能に一体化してなる構成の多年暦も包含する。                                                                                    
【発明の効果】
【００１５】
以上のとおりの構成からなるこの発明の多年暦は、１２ケ月を一枚台紙面に表示した単年表示暦シートが少なくとも１０年分を予め一冊にまとめて暦に編集され、少なくとも１０年間は継続使用するようにしたものであることから、人生にゆとりが生まれて長期間に及ぶ人生設計を計画、立案して行動する人々にとっては、それまでの単年表示暦では、連続性がなくて不自由しなければならなかった事態を完全に解消して日常的に連続、確認できるようにするという大きな利点が得られると共に、１０年ダイアリーで過去のその日を振り返り、過ぎ去った日々について懐かしむと同時に反省を加えて将来の計画に役立てるという日記帳が静かなブームとなっている背景を受け、１０年ダイアリー程ではないにしても、過ぎ去った年に書き留められた行事、予定の記録を少なくとも１０年に渡ってその場で直ぐに確認できて人夫々の思いを蘇らせるという効果は十分に期待することができるものとなって、人々の生活に潤いと希望とをもたらすという秀れた効果が期待できるものとなる。    
【００１６】
しかも、１０年間もの長きに渡って建物内の同一箇所を飾り、暦としての機能は勿論であって、それ以上にその箇所において度々人の目に晒され、目につく屋内調度品として長期間その機能を果たし得るように、退色、変質させることのない中性紙を採用したり、通常の暦印刷をしたものの表面に耐候性透明膜処理するようにしたりするなど、これまでの一年単位で廃棄処分されていたものには必要の無かった特別に処理したものとし、年が変わる度に新鮮さが確実に確保されるという効果が期待できるようにしてあると同時に、その構成上、つまり１２ケ月を一枚台紙面に表示して暦の機能を果たし得るようにするための構成から、必然的に紙面の大きさは最低でもＡ２版程度、望ましくはＢ２かＡ１程度を必要としてしまい、使用期間を満了した段階に１０年間あるいはそれ以上に及んだ使用者の貴重な歴史を、破棄することなく保管しようとするには嵩張り過ぎて保管に適しないということにならないよう、その段階に単年表示暦シート一枚一枚が夫々一ヶ月表示箇所ずつ、あるいは連続する数カ月まとめた複数月表示箇所ずつが独立して切り離し可能とするようするなどの工夫を施し、１０年ダイアリーと同様にその後の保管についても利するものとしてあるという利点が得られるものとなっている。
【００１７】
その結果、従来までの暦が、どんなに豪華でセンスのあるものの含め、新年を迎えると殆ど全てのものが廃棄される運命にあって、その数たるや全国で数限りのない有用な資源が無駄にされてしまっているばかりか、それら廃棄されたものにも莫大な費用を掛けて処理するという二重、三重の無駄をしてきていたものが、少なくとも１０年間は全くそのような無駄の発生をなくし、場合によっては、その大部分を使用者の記録として保存されることを想定するならば、略永久に資源の無駄を無くすことができ、しかも、今までとは違って、個々人や企業の歴史が自然に残されていくことになるという文化的な貢献にも繋がるという社会的に非常に大きな効果を奏することにもなる。                                                                  
【発明を実施するための最良の形態】
【００１８】
上記したとおりの構成からなるこの発明の実施に際し、その最良もしくは望ましい形態について説明を加えることにする。                                                  先ず、単年表示暦シートは、和紙、合成紙、プラスティック紙、突き板、布等々、これまで採用されてきたどのタイプの台紙でも対象とするものであり、１２ケ月分を一枚台紙にまとめて表示し、日々の曜日と属する月とが視認できるようにするといった最低限の暦の機能を果たし、しかも日々の行事や慣行である祝祭日や六曜、それに年間の累積日数など予め表示可能な記載事項の外、例えばその日の天気や温度、それに使用者の予定事項の一つや二つといった最低限の記録の書き込みを可能とするためには、最低でもＡ２版程度、望ましくはＢ２かＡ１の大きさを必要とすることになる。
【００１９】
そして、単年表示暦シートは、ある年を起算点に少なくとも１０年間の時を経ることになり、さらにその期間を満了した後にも記録として残ることを想定し、そのシート素材は、生地そのものとして耐候性と共に退色や変質を極力無くすようにした、例えば中性紙（代表的なものの例として、三菱製紙の商品名「パールカラーＡＰ」や三島製紙の商品名「オークインディ暦オークユニ」など）によるものとしたり、あるいは、表面に耐候性透明膜処理、例えばポリビニルアルコールのような造膜性の強い物質を主とする膜処理その他の有効な手段を施して対処し得るようにすべきであり、それらは塗膜処理による外、溶着などによる耐候性透明膜、例えばポリエステルフィルムのラミネート処理、あるいはそれらのどれでもない耐候性透明膜を各シートの表面に添設、介在させるようにした構成のものとすべきである。
【００２０】
このように配慮された記載事項、サイズ、材質に加え、１０枚あるいはそれ以上の枚数の単年表示暦シートが年を下る順序に重ねられて一冊の暦として吊り代付き綴じ金具で綴じられた上、年を追う毎に一枚ずつ廃棄せずに後ろに捲られて新しい年の表示がなされ、暦表示としては役目を終えた古いものは順次一番に保管されていくようにする必要があり、捲って後ろに位置替えをしたときに、綴じ金具に付いている吊り代が隠れてしまってその機能を無くしてしまわないよう、例えば後述の実施例において採用しているような全てのシートの吊り代相当箇所に切欠き孔を形成したものとしたり、実施例には取り上げなかったが、綴じ金具の両端に吊り代を一対用意してそれら二箇所を使って吊り下げるか、あるいは綴じ金具を底辺にするようにして三角形状に吊り紐を巡らすことによって単年表示暦シートを後ろに捲っても当該暦の吊り下げに支障のないような最適な構造によるものとしなければならない。
【００２１】
更に、上記のような構成を備えた単年表示暦シートは、一ヶ月表示箇所ずつか、あるいは連続する数カ月まとめた複数月表示箇所ずつ、例えば、後述の実施例として図示した１〜６月と７〜１２月とを二列に縦表示した例によれば、１および２月、３および４月、５および６月、……といった二ケ月ずつをまとめて単年表示暦シートを６枚に分割するか、１〜３月、４〜６月、……といった具合に三ケ月ずつをまとめて単年表示暦シートを４枚に分割するかするようにして、それらが独立して切り離し可能とするような破線状切り目が施され、用意された単年表示暦シート枚数の年数が使用を満了した段階には、当該破線状切り目で全てを切り離してしまい、それら切り離されたものの同一箇所に予め用意するようレイアウトしてある各々の綴じ代において順番どおりに一体化して小冊子に変貌させ得るようにしたものにすると、１０年ダイアリーの如く、その後の記録としての保管に極めて好都合のものとすることができる。
【００２２】
なお、小冊子にする際には、改めてそのための金具を必要としないで、単年表示暦シートを閉じていた綴じ金具に予め小冊子用綴じ金具としての構成、例えば、後述する実施例に取り上げるもののように、綴じ金具に刻印線を予め付与して折曲使用の際の目安になるようにしたり、あるいは綴じ孔に通し易くなるように綴じ金具両端を斜に切り落とした形状のものとするなどの工夫を施しておき、それを使って簡単に編集することができるようにすれば、更に利便性を高めると同時に、最後まで使い切って暦としての役目を全うした後に、廃物を殆ど発生しないで有効に活用することができて望ましいものとすることが可能となる。
【００２３】
この発明の多年暦は、まとめた年数分の単年表示暦シートを適宜手段、例えば従前から一般的な暦の綴じ金具として使用されてきているような単年表示暦シート巾の薄鉄板製帯板による巻き締めや、やはり単年表示暦シート巾としたレール状の二枚の短冊片による挟着、あるいは等間隔で穿設した綴じ孔への螺旋コイルの挿通、その他適宜手段を採用して一冊にまとめたものとすれば足りるが、従前までの殆どの暦が採用している使用済みとなったシートを切り離してしまう方式によるものはなるべく避けるようにし、全てが使用済みとなってもそのまま背後に残す方式によるものとするのが、長期の記録を保存する上でも、また限りある資源の有効活用の面からも望ましいと言える。
以下では、上記までに詳述してきたこの発明の多年暦の構成を、代表的な具体例で示すことによって、更に明確に把握できるようにしてみる。                                                                                
【実施例１】
【００２４】
この実施例による多年暦は、この発明の基本的な構成を兼ね備えたものの代表的な事例によるものであり、図１が、１０年使用とするための多年暦を構成する単年表示暦シートの代表的なレイアウトを示す正面図、図２が使用状態を示すための斜視図である。
この事例の単年表示暦シートは、図に示すとおり、Ｂ２（５１５×７２８ｍｍ）を縦長に使用してレイアウトしている。
【００２５】
縁取り１７として台紙１の周囲に１５ｍｍを要した残りの紙面の上方約１０ｃｍほどの巾部分に、多年暦としての表題表示部１１とし、暦としての名称、例えば「ＴＨＥ  ＣＯＳＭＯ  ＴＥＮＮ」等と、表示西暦として例えば２００４に、利便性から和暦として平成１６年と昭和換算７９年とを並記し、更に凡例として気象や行事のための記号を表示する一方、上端縁から１０ｍｍ巾程度を綴じ代に充当すると共に、左右方向中央を略Ｖの字形（またはＵの字形や半円形などでもよい。）の刳り貫き孔１２に形成し、後述の綴じ金具２によって綴じられ、同金具２の吊り代２１があったとしても、該当年が終了段階には図２のようにして単年表示暦シートとなる台紙１を後ろに捲って保管できるようにしてある。
【００２６】
上記表題表示部１１の下、下端縁取り１７までを６等分すると共に、左右の真ん中に装飾用枠部１３，１３として中央から左右に夫々５ｃｍずつ振り分けた１０ｃｍ巾部分を確保して左右夫々の残り部分によって区画された一単位区画部分、縦横約１０×１９ｃｍを１ケ月表示箇所１４，１４，……とし、縦方向に１月から６月までを、前記した装飾用枠部１３，１３の左側に、同右側に縦方向に７月から１２月までを配するようにしたものである。
図中、１８は、綴じ金具２によって綴じるための綴じ代を示している。
【００２７】
なお、図には省略してあるが、単年表示暦シートを所望の年数分だけ順次重ねて一册にするようにするだけではなく、夫々単年表示暦シートの上に該当年の正月を迎えるに相応しい表示（例えば該当年の干支や新年の挨拶文、正月１カ月分の暦などの記載表示）とした薄紙製の飾り表紙を重ねたものとして冊子化し、該当年の正月を迎えたときには、従前までの暦がそうであるように、新しい年を迎える雰囲気を醸し出せるよう配慮したものとすることもでき、正月が過ぎれば、そのまま飾り表紙を捲って後ろに回すか、不要なものとしてその部分だけ取り去るようにして、該当単年表示暦シートの表示でそのまま一年間使用を続けるようにしたものとすれば、多年暦としても正月を迎える毎に新鮮さを保つことができて好都合のものとすることができる。                                                                                                                
【実施例２】
【００２８】
この事例の多年暦は、１０年使用を目的とする多年暦がその使用を満了したときに、そのままのサイズの暦としての保管ではなく、１０年ダイアリーのようにコンパクトにしたサイズでの保管を可能とするよう、予め単年表示暦シートにそのための切り取り破線と綴じ代とを用意するようにしたものの具体例であり、上記実施例１による装飾用枠部１３，１３が中央振り分けによるものであったのに対し、この事例のものでは、図３のレイアウトを示す正面図として示してあるように、中央左の装飾用枠部１３が左端に移動させられ、１月から６月までの月表示箇所１４，１４，……にも左側に装飾用枠部１３が形成されて７月から１２月までのそれと同じ配置となるようにし、全ての月表示箇所１４，１４，……の左側に装飾用枠部１３の一部が存在して綴じ代が配されてなるようにしたものである。
なお、この実施例では、単年表示暦シートとなる台紙１を後ろに捲って保管できるようにするため、上記実施例１とは違い、綴じ金具２で単年表示暦シートをまとめて綴じる際に、一緒に単年表示暦シート巾の２．５程度の長さの下げ紐５を巻き込んでしまうようにした事例によるものとしてある。
【００２９】
一方、このように配された装飾用枠部１３，１３と、月表示箇所１４，１４，……とは、更に１〜３月、その下の４〜６月、右列の上に上がって７〜９月、その下の１０〜１２月と四つに区切った四半期部１６，１６，……（縦横約３０×１９ｃｍ）を夫々独立したものとして切り離すことができるように、予め破線状切り目１５，１５，……を縦横に刻設したものとしてあり、この多年暦が１０年の使用を無事に全うしたところで、夫々の月表示箇所１４，１４，……には、使用者の思い出となる記載が所々に記入されていて１０年分の記録が刻まれた暦を、そのまま大事に保管しておくようにするか、大きくて保管に余る人にとっては、スキャニングしてコンピューターに取り込んでしまう等して暦そのものは廃棄してしまうようにすることもできるが、この実施例のものでは、予め刻設してある縦横の破線状切り目１５，１５，……で丁寧に切り離して３ケ月毎の四半期部１６，１６，……毎に小さく分割して一年分４枚、それが１０年分で都合４０枚のものにまとめてしまうようにし、夫々の装飾用枠部１３が揃うようにして重ねた上、同所を綴じ代として綴じることによって小冊子化してしまえるようにしてある。                                                                                  
【実施例３】
【００３０】
そして、この実施例では、上記実施例２のもののように綴じ代で綴じる場合、改めて綴じ金具を何か別に個人個人で調達しなくても良いようにするためだけではなく、切り離されて不要になった元の暦の綴じ金具２を無駄にすることなくリサイクルできるように配慮した事例を示すものであって、実施例２の図３に示したレイアウトと同様とした単年表示暦シートの中に、図４のレイアウト示す正面図のような切込み３１，３１を予め暦の綴じ金具２の巾よりも僅かに大きくなるよう破線状切り目３２として用意すると共に、元の暦の綴じ金具２にも、暦として使用中には目立たない裏側で、先の切込み３１，３１間の距離に合わせた位置に折り曲げ箇所とする刻印線２２，２２、２２，２２を施してなるようにしたものである。
【００３１】
上記実施例２のようにして４０枚に分割してしまった使い古しの暦による記録を、一枚ずつ全てに切込み３１，３１が形成されるように破線状切り目３２，３２を使ってその部分を切り取った上、それら全てを夫々の装飾用枠部１３が揃うように順番に重ね、図５のようにしてしまうことにより、上下縁の左端に、元の暦の綴じ金具２の巾よりも僅かに大きくした綴じ溝３，３が形成されることから、同所に、元の暦の綴じ金具２をその刻印線２２，２２に従ってチャンネル材状に折り曲げて嵌め込み、それら両端が、重ねた四半期部１６，１６，……の裏面側に納まるようにした後、綴じ金具２の端が引っ掛かってしまわないよう適宜接着テープ４で押さえる処理をして、図６に示すように製本化してしまえば、それまで１０年間に渡って使い馴染んできて折々の行事や予定などが記載されて残っている１０年暦は、殆ど廃棄物となるところなく１０年ダイアリーとして再生、活用されることになる。
【００３２】
なお、この実施例では、上下縁の左端に、元の暦の綴じ金具２を使って閉じる事例としているが、勿論、重ねらた四半期部１６，１６，……の上端側を綴じるように、この例と同じようにして、予め一枚ずつ全てに切込み３１，３１が形成されるように破線状切り目３２，３２を入れたものとすることも可能であり、綴じる箇所や綴じる手段についてこの実施例のものに限定されている訳でないことは言うまでもないことである。
【００３３】
（実施例の作用）
上記のようにして形成されるこの発明の１０年使用可能な多年暦は、連続した１０年分を構成する夫々の単年表示暦シートを若い順に上から下に１０枚重ねていき、更に表紙となる一枚も加えて揃えた上端を、従前どおりの手法、例えば薄鉄板製帯板でまとめて挟着状としてから、単年表示暦シート巾の２．５程度の長さとした紐を無端状とした下げ紐５の中途と共に一回巻き締めるようにするか、それ自体に綴じ代２１の形成された綴じ金具２で一体化するなどした暦とするものであり、それを購入、使用するものは、下げ紐５か吊り代をフックか鋲、釘などに吊り下げ、正月から大晦日まで１２カ月に渡ってそのまま使い続け、新年を迎える際には、それまでの一年間を表示していた単年表示暦シートだけを捲って最後尾に回し、新しく迎える単年表示暦シートを直接表すようにするか、各単年表示暦シート毎に飾り表紙を用意したものでは一旦飾り表紙で正月を迎え、その後に該当単年表示暦シートを直接表すようにするかし、そのまま一年間に渡って表示させる。以降、年が改まる毎に同じ操作を繰り返し、用意された単年表示暦シートの最後の年まで使用し続ける。
【００３４】
こうして用意した多年数分を満了した暁には、それに続くこの発明の多年暦に付け替え、取り外した方の使い切った多年暦は、永年に渡って処処に書き込まれた記録のあるものの場合、そのまま廃棄してしまうと折角の記録が無駄になってしまうのと、記録の無いものでも資源の有効活用の観点からも、実施例に夫々示したもののように、予め綴じ代が用意されていて、例えば四半期部ずつに分割したものとして冊子化（実施例３のもののように、綴じ金具２を利用できるようにしたものは、無駄なく簡単に冊子化）して保管するように再生、活用するようにするのが望ましく、このように冊子化して残さないまでも、長期に渡る記録をコンピューターで情報処理し、電子化したデーターとして保存するようにすることもできる。
【００３５】
（実施例の効果）
上記のとおりの構成として形成されるこの発明の多年暦、特に実施例３に代表されるような多年暦は、多年使用による資源の節約と同時に、毎年大量に廃棄されて焼却処理する無駄を無くすことができるというこの発明の共通した特徴に加え、長期に渡る記録をハードのものに小冊子化することを極めて容易なものにするだけではなく、例えば四半期部毎に分割したものとして家庭用の読取り機によるスキャニングも容易になり、ソフトの電子化した情報としての保管をし易くするという効果が付加されることも相俟って、それだけ付加価値が高められたものとすることができる。
【００３６】
（結  び）
叙述の如く、この発明の多年暦は、その新規な構成によって所期の目的を普く実現可能とするものであり、しかも、その目的達成のために欠かせない構成も比較的簡潔なものとなっていて製造容易とするもので、従来品と同等程度、あるいはそれよりも安価な価格帯での提供を可能にするものとなっていることから、通常の単年限りの暦に代わってか、それらと併用されることによって暦用に毎年大量に費やされる資源の量を食い止めるか、減少化させることができて社会に貢献することができると共に、多年使用による人々の記録の保管が、普段の暦使用の中に長期の記録として保管されて１０年日記などのダイアリーの役目も兼用するものとして、その利便性が高い評価を受けて多くの人々に受け入れられ、広範に渡って普及するものになると予想される。                                                                              
【図面の簡単な説明】
【００３７】
図面は、この発明の多年暦に係わる代表的な幾つかの具体例を示したものである。
【図１】レイアウトを示す正面図である。
【図２】その使用状態を示す斜視図である。
【図３】他の実施例によるものの、図１と同様にした正面図である。
【図４】更に他の実施例としたものの、図１と同様にした正面図である。
【図５】上記実施例によるものの、ダイアリーへの製作過程を示すための斜視図である。
【図６】完成したダイアリーの斜視図である。
【符号の説明】
【００３８】
１          台  紙
１１        同  表題表示部
１２        同  刳り貫き孔
１３        同  装飾用枠部
１４        同  １ケ月表示箇所
１５        同  破線状切り目
１６        同  四半期部
１７        同  縁取り
１８        同  綴じ代
２          綴じ金具
２１        同  吊り代
２２        同  刻印線
３          綴じ溝
３１        同  切込み
３２        同  破線状切り目
４        接着テープ
５        下げ紐
【図１】
2006056081.tif 000003
【図２】
2006056081.tif 000004
【図３】
2006056081.tif 000005
【図４】
2006056081.tif 000006
【図５】
2006056081.tif 000007
【図６】
2006056081.tif 000008